(57)【特許請求の範囲】
【請求項１】
所定のデータ領域について被検体に注入された造影剤の濃度の時間変化に対応するデータを取得する濃度変化取得手段と、
前記データに対する第１の閾値処理によって異常データが検出された場合に、前記異常データを除くデータに対する第２の閾値処理によってトリガを生成するトリガ生成手段と、
前記トリガに基づいて前記被検体の造影イメージングのための制御を行う制御手段と、
を備え、
前記濃度変化取得手段は、前記異常データが検出された場合に、前記所定のデータ領域から前記異常データに対応するデータ領域を除くデータ領域について前記造影剤の濃度の時間変化に対応するデータを取得することを特徴とする画像診断装置。
【請求項２】
前記トリガ生成手段は、前記データの値又は変動量が閾値を超えた場合に、前記閾値を超えたデータを前記異常データとして検出するように構成される請求項１記載の画像診断装置。
【請求項３】
前記トリガ生成手段は、前記異常データが検出された場合に、少なくとも所定の時間が経過した後に前記トリガを生成するように構成される請求項１記載の画像診断装置。
【請求項４】
前記制御手段は、前記トリガを開始タイミングとして前記被検体の造影イメージングを行うように構成される請求項１記載の画像診断装置。
【請求項５】
前記異常データが検出された場合に前記異常データの検出情報を表示装置に表示させる異常通知手段を更に備える請求項１記載の画像診断装置。
【発明の詳細な説明】
【技術分野】
【０００１】
本発明の実施形態は、画像診断装置に関する。
【背景技術】
【０００２】
従来、X線CT (computed tomography)装置により造影剤の注入を伴う造影イメージングが行われている。X線CT装置による造影イメージングでは、造影剤の注入後におけるデータ収集タイミングを決定するために、イメージングに先だって関心領域(ROI: region of interest)内における造影剤の濃度に応じたCT値の変化がモニタリングされる。そして、ROI内におけるCT値が予め設定された閾値を超えたタイミングをトリガとして、イメージングスキャンが開始される。
【先行技術文献】
【特許文献】
【０００３】
【特許文献１】特開平６−１１４０４９号公報
【発明の概要】
【発明が解決しようとする課題】
【０００４】
従来のX線CT装置による造影イメージングでは、CT値変化の測定対象となるROI内又はROI付近にX線の高吸収体等のアーチファクトの要因となる物体が存在すると、造影剤の濃度に関わらずCT値が上昇するため、イメージングスキャンの開始のためのトリガタイミングが誤って設定されるという問題がある。
【０００５】
これは、磁気共鳴イメージング(MRI: Magnetic Resonance Imaging）装置を用いて造影イメージングを行う場合においても同様である。すなわち、MRI装置によりROI内における造影剤の濃度に応じた信号値をモニタリングしてデータ収集タイミングを決定する場合、アーチファクトにより信号値が上昇すると、データ収集タイミングが誤って設定されるという問題がある。
【０００６】
更に、造影剤の濃度に応じて撮像モードの変更等の各種制御を行う場合においても、アーチファクトの発生に関わらず制御タイミングを適切に決定することが重要である。
【０００７】
本発明は、造影剤の濃度に応じて、より適切に造影イメージングスキャンにおける制御タイミングを決定することが可能な画像診断装置を提供することを目的とする。
【課題を解決するための手段】
【０００８】
本発明の実施形態に係る画像診断装置は、濃度変化取得手段、トリガ生成手段及び制御手段を備える。濃度変化取得手段は、所定のデータ領域について被検体に注入された造影剤の濃度の時間変化に対応するデータを取得する。トリガ生成手段は、前記データに対する第１の閾値処理によって異常データが検出された場合に、前記異常データを除くデータに対する第２の閾値処理によってトリガを生成する。制御手段は、前記トリガに基づいて前記被検体の造影イメージングのための制御を行う。また、濃度変化取得手段は、前記異常データが検出された場合に、前記所定のデータ領域から前記異常データに対応するデータ領域を除くデータ領域について前記造影剤の濃度の時間変化に対応するデータを取得する。
【図面の簡単な説明】
【０００９】
【図１】本発明の実施形態に係る画像診断装置の機能ブロック図。
【図２】異常データを伴うTDCに対する第１及び第２の閾値処理を行ってトリガ信号を生成する方法の一例を説明する図。
【図３】図２に示すTDCの生成対象となったROIから異常値を呈する画素の範囲を除外した例を示す図。
【図４】異常データを伴うTDCに対する第１及び第２の閾値処理を行ってトリガ信号を生成する方法の別の一例を説明する図。
【図５】図１に示す画像診断装置により造影剤のTDCをモニタリングすることによって設定したタイミングで被検体の造影イメージングを実行する流れを示すフローチャート。
【発明を実施するための形態】
【００１０】
本発明の実施形態に係る画像診断装置について添付図面を参照して説明する。
【００１１】
図１は本発明の実施形態に係る画像診断装置の機能ブロック図である。
【００１２】
画像診断装置１は、被検体の造影イメージングを行う機能を有する。そのために、画像診断装置１は、造影剤注入装置２、データ収集系３、スキャン制御部４、データ処理系５、入力装置６及び表示装置７を有する。画像診断装置１の構成要素のうち、デジタルデータを処理する構成要素は、コンピュータにプログラムを読み込ませることによって構築することができる。画像診断装置１の例としては、造影イメージングを行うことが可能なX線CT装置及びMRI装置が挙げられる。
【００１３】
造影剤注入装置２は、被検体に造影剤をボーラス注入又は静注する機能を有する。
【００１４】
データ収集系３は、所定の条件に従ってスキャンを実行することによって被検体から生体データを収集する機能を有する。画像診断装置１がX線CT装置である場合には、X線管及びX線検出器等の構成要素により被検体から生体データとしてX線検出データを収集するデータ収集系３が構成される。一方、画像診断装置１がMRI装置である場合には、コイル及び磁石等の構成要素により被検体から生体データとしてMRデータを収集するデータ収集系３が構成される。
【００１５】
スキャン制御部４は、データ処理系５から出力されるトリガ信号に基づいてデータ収集系３を制御することによって、イメージングスキャン及びイメージングスキャンに先立つプレスキャンをデータ収集系３に実行させる機能を有する。イメージングスキャンは、診断画像データとして造影画像データを収集するためのスキャンである。また、プレスキャンとしては、ROI設定用の画像データを収集するためのスキャンやイメージングスキャンの開始タイミングを決定するために所望のROIにおける造影剤の濃度をモニタリングするためスキャンなどがある。このため、スキャン制御部４には、入力装置６からの情報に従ってROIを設定する機能が備えられる。
【００１６】
更に、スキャン制御部４には、データ処理系５から出力されるトリガ信号に基づいて造影イメージングを行うために必要なデータ収集系３の制御を行う機能及び造影イメージングを行うために必要な情報を表示装置７やその他の機器に出力する機能が備えられる。例えば、スキャン制御部４には、被検体のROI内における造影効果を示すCT値等の指標が所定の値を超えた場合にガイド音声を出力させる機能、造影効果を示す指標がピークを過ぎた場合にデータ処理系５を制御して撮像間隔を長くする機能、造影効果を示す指標がピークを過ぎた場合にデータ処理系５を制御してX線管に供給される管電流を低下させる機能、造影効果を示す指標が所定の値以下となった場合にデータ処理系５を制御して撮像を終了させる機能のように、トリガ信号に基づいて撮像モードの変更を行う機能や情報を出力させる機能が備えられる。
【００１７】
データ処理系５は、画像データ生成部８、時間濃度曲線(TDC: Time Density Curve)取得部９、トリガ生成部１０及び異常通知部１１を有する。また、TDC取得部９は、ROI設定部１２及びROI補正部１３を有する。更に、トリガ生成部１０は第１の閾値処理部１４及び第２の閾値処理部１５を有する。
【００１８】
画像データ生成部８は、データ収集系３によるイメージングスキャン又はプレスキャンによって収集された生体データに対する画像再構成処理を行うことによって画像データを生成する機能と、生成した画像データを表示装置７に表示させる機能を有する。
【００１９】
TDC取得部９は、データ収集系３によるプレスキャンによって収集された生体データに基づいて造影剤の濃度の時間変化に対応するデータを造影剤のTDCとして取得する機能と、造影剤のTDCを表示装置７に表示させる機能を有する。
【００２０】
例えば、画像診断装置１がX線CT装置である場合には、X線CT画像データに設定されたROI内におけるCT値の変化として造影剤のTDCを作成することができる。また、画像診断装置１がMRI装置である場合には、MR画像データに設定されたROI内における画素値又は所定の領域から収集されたMR信号の信号値の変化として造影剤のTDCを作成することができる。
【００２１】
ROI設定部１２は、入力装置６からの情報に従って造影剤のTDCを作成するためのROIを設定する機能を有する。尚、ROI内には、複数の画素位置が存在するため、複数の画素値又はCT値の平均値等の代表値を用いてROIごとに１つのTDCを作成することができる。従って、複数のROIを設定することによって、複数のTDCを作成することもできる。
【００２２】
ROI補正部１３は、異常なTDCが作成された場合に、データが異常値を呈する範囲を閾値処理によって特定し、ROIから異常値を呈する範囲を除外した範囲を新たなROIに設定するROIの補正処理を実行する機能を有する。つまり、ROI補正部１３によるROIの補正処理によって、TDC取得部９は、異常なTDCが作成された場合に、異常値を呈する範囲を除外した範囲のデータを用いてTDCを作成できるように構成される。尚、異常なTDCが作成されたか否かの情報は、トリガ生成部１０の第１の閾値処理部１４からROI補正部１３に与えられる。
【００２３】
トリガ生成部１０は、造影剤のTDCに対する第１の閾値処理によってTDCの異常データを検出する機能、異常データが検出された場合に、異常データを除くTDCに対する第２の閾値処理によってトリガ信号を生成する機能を有する。換言すれば、トリガ生成部１０は、TDCに対する第２の閾値処理によってトリガ信号の生成条件が満たされたとしても、第１の閾値処理によって第２の閾値処理の対象となったTDCのデータが異常データであると判定された場合には、トリガ信号を生成しないように構成される。つまり、第１の閾値処理と第２の閾値処理は、どちらを先に実行してもよい。
【００２４】
また、トリガ生成部１０は、生成したトリガ信号をスキャン制御部４に出力することによってスキャン制御部４にスキャンの開始、撮影モードの変更又は必要な情報の出力を実行させる機能を備えている。
【００２５】
第１の閾値処理部１４は、TDCの局所的なデータが異常データであるか否かの判定を行うためのTDCに対する第１の閾値処理を行う機能を有する。例えば、造影剤のTDCの値又は変動量に対して第１の閾値を設定し、TDCの値又は変動量が第１の閾値を超えた場合に、第１の閾値を超えた部分のTDCを異常データと判定することができる。第１の閾値は、例えば過去に観測されたTDCの異常値に基づいて経験的に決定することができる。
【００２６】
第２の閾値処理部１５は、トリガ信号の生成タイミングを決定するためのTDCに対する第２の閾値処理を行う機能を有する。第２の閾値処理は、トリガ信号がイメージングスキャンの開始のための信号であれば、TDCの値が第２の閾値を超えた場合に、トリガ信号の生成条件が満たされたと判定する処理とすることができる。また、トリガ信号が撮像モードの変更や情報の出力のための信号であれば、撮像モードの変更や情報の出力のための条件に従ってTDCに対する第２の閾値及び第２の閾値処理の方法が設定される。第２の閾値は、トリガ信号の生成タイミングを決定するために従来から用いられている経験的な値に決定することができる。
【００２７】
以下、第２の閾値処理部１５においてイメージングスキャンを開始させるためのトリガ信号の生成条件を判定し、トリガ生成部１０がイメージングスキャンを開始させるためのトリガ信号を生成する場合を例に説明する。
【００２８】
図２は、異常データを伴うTDCに対する第１及び第２の閾値処理を行ってトリガ信号を生成する方法の一例を説明する図であり、図３は、図２に示すTDCの生成対象となったROIから異常値を呈する画素の範囲を除外した例を示す図である。
【００２９】
図２において横軸は時間を示し、縦軸はROI内におけるCT値を示す。また、図２中の点線は、ROI内におけるCT値の時間的変化として表されたTDCを示し、実線の丸印はTDCを生成するための各時刻におけるCT値のプロットデータを示す。
【００３０】
図３(A)に示すようにX線CT画像上にROIを設定し、プレスキャンによって造影剤注入後の被検体からX線検出データをダイナミック収集してリアルタイムにROI内のCT値を計算すると、ROIにおけるTDCを取得することができる。そして、TDCとしてROI内における造影剤の濃度をモニタリングすることができる。
【００３１】
造影剤は、徐々にROI内に流れ込むため、TDCがROI内における造影剤の濃度に対応していれば、TDCは急激に上昇又は減少することはなく連続的に徐々に上昇する。しかし、図３(A)に示すようにROI付近にX線の高吸収体が存在すると、高吸収体の影響によってX線CT画像データのROI内にアーチファクトが生じる場合がある。ROI内にアーチファクトが出現すると、TDCは急激に上昇した後、再び急激に減少する。
【００３２】
このため、図２に示すように、TDCが第２の閾値TH2を超えた場合にイメージングスキャンのトリガ信号が生成される場合において、アーチファクトによってTDCが急激に上昇して第２の閾値TH2を超えると、造影剤がROI内に到達していないにも関わらずトリガ信号が生成されてしまう。
【００３３】
そこで、TDC上のあるCT値が第２の閾値TH2を超えた場合に、直前にサンプリングされたCT値との差分ΔCTが算出される。そして、CT値の差分ΔCTと第１の閾値TH1を比較し、第１の閾値TH1よりもCT値の差分ΔCTの方が大きい場合には、トリガ信号を生成しないようにトリガ生成部１０を制御することができる。例えば、ROIが頸動脈に設定されている場合には、第１の閾値TH1を30 HU (Hounsfield Unit)程度に設定することができる。
【００３４】
このような第１の閾値処理によって、TDCの変動量の指標である隣接するCT値の差分ΔCTが急激に変化した場合に、TDCの上昇がアーチファクトに起因するものと判定してトリガ信号を生成しないようにすることができる。
【００３５】
尚、上述したように、CT値の差分ΔCTと第１の閾値TH1を比較し、CT値の差分ΔCTが第１の閾値TH1以下であると判定された場合にCT値と第２の閾値TH2との比較判定を行うようにしてもよい。また、隣接するCT値間における差分ΔCTをTDCの変動量の指標とすれば、十分にCT値の上昇の原因がアーチファクトによるものか否かを判定できると考えられるが、あるCT値とそれ以前のn個(nは自然数)のCT値の平均値との差分をTDCの変動量の指標として第１の閾値TH1と比較するようにしてもよい。
【００３６】
ただし、図２に示すように、アーチファクトによってCT値が急激に上昇し、次にサンプリングされたCT値も第２の閾値TH2を超えた場合には、隣接するCT値の差分ΔCTが小さな値となる。
【００３７】
そこで、あるCT値と直線のCT値との差分ΔCTが第１の閾値TH1を超えて、CT値が異常データであると判定された場合には、少なくとも所定の時間ΔTが経過するまでトリガ信号を生成しないようにトリガ生成部１０を制御することができる。所定の時間ΔTは、過去における異常データの出現時間などに基づいて経験的に決定することができる。
【００３８】
また、上述したように、ROI補正部１３によりCT値が異常値を呈する範囲を特定して図３(B)に示すようにROIから除外すれば、図２の点線の丸印で示すようにCT値を正常な値に補正することができる。この場合、ROI内からアーチファクトが除外されているため次にサンプリングされるCT値も正常な値に補正される。
【００３９】
このようなトリガ生成部１０の制御により、TDCに異常データが発生して上昇しても、イメージングスキャンが開始されることなくTDCをモニタリングするためのプレスキャンを引続き実行することができる。
【００４０】
そして、図２に示すように造影剤の濃度に従って徐々にTDCが上昇することによってCT値が第２の閾値TH2を超えた場合には、直前にサンプリングされたCT値との差分ΔCTが第１の閾値TH1以下となる。このため、適切なタイミングでトリガ信号を生成することができる。
【００４１】
図４は、異常データを伴うTDCに対する第１及び第２の閾値処理を行ってトリガ信号を生成する方法の別の一例を説明する図である。
【００４２】
図４において横軸は時間を示し、縦軸はROI内におけるCT値を示す。また、図２中の点線は、ROI内におけるCT値の時間的変化を表すTDCを示し、実線の丸印はTDCを生成するための各時刻におけるCT値のプロットデータを示す。
【００４３】
図４に示すようにTDCを構成するCT値に対して異常値を除外するための第１の閾値TH1及びトリガ信号の生成条件を判定する第２の閾値TH2を設定することもできる。すなわち、CT値自体をTDCの変動量の指標として第１の閾値処理を行うことができる。この場合、第１の閾値TH1は、第２の閾値TH2及び造影剤の到達によって上昇し得る想定値を十分に超える値に設定される。このため、アーチファクトによってCT値が第２の閾値TH2を超えたとしても、第１の閾値TH1を超えれば、トリガ信号は生成されない。
【００４４】
また、図４の点線の丸印で示すようにROI内からアーチファクト部分を除外してCT値を補正したり、CT値が異常データであると判定された場合に少なくとも所定の時間ΔTが経過するまでトリガ信号を生成しないようにトリガ生成部１０を制御することができる。
【００４５】
異常通知部１１は、第１の閾値処理部１４において異常データが検出された場合に異常データの検出情報を表示装置７に表示させる機能を有する。つまり、異常通知部１１は、ユーザにTDCの上昇がアーチファクトによるものである等の情報を通知する機能を有する。
【００４６】
次に画像診断装置１の動作および作用について説明する。ここでは、画像診断装置１がX線CT装置であり、図２に示す第１及び第２の閾値処理を行ってイメージングスキャンのトリガ信号を生成する場合を例に説明する。
【００４７】
図５は、図１に示す画像診断装置１により造影剤のTDCをモニタリングすることによって設定したタイミングで被検体の造影イメージングを実行する流れを示すフローチャートである。
【００４８】
まずステップＳ１において、造影剤のTDCの作成対象となるROIの設定用の画像データがプレスキャンによって収集される。すなわち、スキャン制御部４による制御下において、データ収集系３は、S&S (scan & scan)モード、S&V (scan & view)モード、ヘリカルスキャンモード、ボリュームスキャンモード等の所望のモードのプレスキャンを実行することによって被検体の検査対象となる部位におけるX線検出データを収集する。
【００４９】
具体的には、データ収集系３に備えられるX線管からX線が被検体に曝射され、被検体を透過したX線がX線検出装置により検出される。X線検出装置により検出されたX線検出データはデータ収集システム(DAS: data acquisition system)により収集され、X線検出データがデジタル信号としてDASからデータ処理系５に出力される。
【００５０】
そうすると、データ処理系５の画像データ生成部８は、X線検出データに対する画像再構成処理を行うことによって画像データを生成し、生成した画像データを表示装置７に表示させる。
【００５１】
次に、ステップＳ２において、ROI設定部１２は、入力装置６からの情報に従って造影剤のTDCを作成するためのROIを設定する。すなわち、ユーザが表示装置７に表示された画像を参照し、入力装置６を操作することによってROIの設定情報をROI設定部１２に入力すると、ROI設定部１２はROIの設定情報に従って図３(A)に示すようにROIを設定する。
【００５２】
次に、ステップＳ３において、造影剤注入装置２は、被検体に造影剤を注入する。
【００５３】
次に、ステップＳ４において、スキャン制御部４による制御下において、データ収集系３は、被検体に注入されたTDCのモニタリング用のプレスキャンを実行する。すなわちステップＳ１と同様な流れで、DASからX線検出データがデータ処理系５に出力される。但し、TDCのモニタリング用のプレスキャンでは、X線検出データがダイナミック収集される。
【００５４】
次に、ステップＳ５において、データ処理系５のTDC取得部９は、X線検出データの画像再構成処理によってX線CT画像データをリアルタイムに生成し、X線CT画像データのROI内におけるCT値を測定する。そして、TDC取得部９は、ROI内におけるCT値の時間変化を造影剤のTDCとして作成し、作成した造影剤のTDCを表示装置７に表示させる。
【００５５】
尚、造影剤のTDCを表示装置７に表示させずに、TDC取得部９が各時刻におけるCT値を記憶するようにしてもよい。
【００５６】
次に、ステップＳ６において、第２の閾値処理部１５は、トリガ信号の生成タイミングを決定するためのTDCに対する第２の閾値処理を行う。すなわち、第２の閾値処理部１５は、最新の時刻においてサンプリングされたROI内のCT値が予め設定された第２の閾値TH2を超えたか否かを判定する。そして、CT値が第２の閾値TH2を超えていないと判定された場合には、引続きステップＳ４からのTDCのモニタリング用のプレスキャンが実行され、造影剤のTDCが求められる。
【００５７】
一方、図３(A)に示すようなROI付近におけるX線の高吸収体の影響により、X線CT画像データにアーチファクトが出現すると、CT値が急激に上昇する。このため、第２の閾値処理部１５により、CT値が第２の閾値TH2を超えたと判定される場合がある。
【００５８】
そうすると、ステップＳ７において、第１の閾値処理部１４は、第２の閾値TH2を超えたと判定されたCT値と直前にサンプリングされたCT値との差分ΔCTを算出する。
【００５９】
次に、ステップＳ８において、第１の閾値処理部１４は、第２の閾値TH2を超えたCT値がアーチファクトに起因して上昇した異常データであるか否かを判定するために、CT値の差分ΔCTに対する第１の閾値処理を行う。すなわち、第１の閾値処理部１４は、CT値の差分ΔCTが予め設定された第１の閾値TH1を超えたか否かを判定する。
【００６０】
そして、CT値の差分ΔCTが第１の閾値TH1を超えたと判定された場合には、引続きステップＳ４からのTDCのモニタリング用のプレスキャンが実行され、造影剤のTDCが求められる。このため、アーチファクトによりCT値が第２の閾値TH2を超えたとしても、アーチファクトに起因して大きく変動したCT値の差分ΔCTは第１の閾値TH1を超えるため、TDCのモニタリング用のプレスキャンが引続き実行される。
【００６１】
ここで、必要に応じて、ステップＳ９において、第１の閾値処理部１４は、異常データの検出情報を異常通知部１１に与え、異常通知部１１は表示装置７にTDCの上昇がアーチファクトによるものである等の異常データの発生情報を表示させる。このため、ユーザは、CT値の上昇がアーチファクトによるものであると確認することができる。
【００６２】
また、必要に応じて、ステップＳ１０において、ROI補正部１３は、ROI内においてCT値が異常値を呈する範囲、例えば、CT値が第２の閾値TH2を超えている画素の範囲やCT値の差分ΔCTが第１の閾値TH1を超えている画素の範囲を閾値処理によって特定する。そして、ROI補正部１３は、図３(B)に示すように特定した異常データの範囲をROIから除外するROIの補正処理を行う。これにより、補正後のROIからサンプリングされたCT値はアーチファクトの影響を受けることなく正常な値を呈することとなる。
【００６３】
更に、必要応じて、ステップＳ１１において、トリガ生成部１０は、所定の時間ΔTの経過待ちを行う。これにより、アーチファクトの影響によるCT値の急激な上昇が終わり、CT値は正常値に戻る。
【００６４】
尚、ステップＳ９、ステップＳ１０及びステップＳ１１の処理は、互いに独立して任意の順序で行うことができる。
【００６５】
一方、造影剤がROI内に到達すると、CT値が徐々に上昇し、第２の閾値TH2を超える。この場合、ステップＳ８において、第１の閾値処理部１４は、CT値の差分ΔCTが第１の閾値TH1を超えていないと判定する。
【００６６】
この場合、ステップＳ１２において、トリガ生成部１０は、イメージングスキャンの開始タイミングとなるトリガ信号を生成し、生成したトリガ信号をスキャン制御部４に出力する。
【００６７】
そうすると、ステップＳ１３において、トリガ信号を受けたスキャン制御部４は、データ収集系３を制御し、データ収集系３は造影イメージングスキャンを実行する。これにより、ROI内が造影剤によって染影された造影CT画像データを診断用の画像データとして収集することができる。
【００６８】
尚、上述したように、異常データの検出のための第１の閾値処理をトリガ信号の生成条件の判定のための第２の閾値処理より先に行ってもよい。
【００６９】
つまり以上のような、画像診断装置１は、造影剤のTDCに対する閾値処理によってTDCの変動が造影剤に起因するものであるか他の原因によるものであるかを判定し、造影剤に起因してTDCが上昇又は下降した場合にのみイメージングスキャンの開始、撮像モードの変更又は情報の出力のタイミングを決定するためのトリガ信号を生成するようにしたものである。
【００７０】
このため、画像診断装置１によれば、造影剤の濃度をモニタリングするためのデータが造影剤以外の要因によって上昇又は下降しても、造影イメージングスキャンの開始タイミング、撮像モードの変更タイミング又は情報の出力タイミングが不適切なタイミングに設定されることを回避することができる。すなわち、造影イメージングスキャンを制御するためのトリガ信号を適切なタイミングで生成することができる。
【００７１】
例えば、X線CT装置により収集された造影X線CT画像データにアーチファクトが出現したとしても、アーチファクトの出現により上昇したTDCの部分を除外して適切なタイミングでトリガ信号を生成することができる。
【００７２】
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【符号の説明】
【００７３】
１  画像診断装置
２  造影剤注入装置
３  データ収集系
４  スキャン制御部
５  データ処理系
６  入力装置
７  表示装置
８  画像データ生成部
９  時間濃度曲線(TDC: Time Density Curve)取得部
１０  トリガ生成部
１１  異常通知部
１２  ROI設定部
１３  ROI補正部
１４  第１の閾値処理部
１５  第２の閾値処理部
【図１】
0005675280.tif 000002
【図２】
0005675280.tif 000003
【図３】
0005675280.tif 000004
【図４】
0005675280.tif 000005
【図５】
0005675280.tif 000006